(57)【要約】【課題】容易に湯を注ぐことができるコーヒードリップ用ポットを提供する。【解決手段】ポット１は、湯を入れる本体２、本体２の中心Ｏに対して一側に位置する本体２の側面に設けられた握持部３、及び本体２の中心Ｏに対して他側に位置する本体２の側面であり、中心Ｏと握持部３とを結ぶ直線（すなわち中心線Ｌ０）に対して中心Ｏを基準に１０〜３０度の角度範囲内に基端４ｃが固定された管状の抽出管４を備える。ユーザＵが握持部３を握る手の手首を回転することによりポット１が傾斜する傾斜面上に抽出管４が位置する。それにより、ユーザＵが握持部３を握る手の手首を回転してポット１を傾けることにより、小さい手首の回転で抽出管４の先端４ａを最大に傾けることができる。【選択図】図２
0003202896.tif 000002
【実用新案登録請求の範囲】
【請求項１】
コーヒー豆の粉末に湯を注ぐためのコーヒードリップ用ポットであって、
湯を入れる容器本体と、
前記容器本体の中心に対して一側に位置する前記容器本体の側面に設けられた握持部と、
前記容器本体の中心に対して他側に位置する前記容器本体の側面であり、前記中心と前記握持部とを結ぶ直線に対して前記中心を基準に１０〜３０度の角度範囲内に基端が固定された管状の抽出部と、
を備えるコーヒードリップ用ポット。
【請求項２】
前記抽出部は、前記角度範囲内に位置する先端を有することを特徴とする、請求項１に記載のコーヒードリップ用ポット。
【請求項３】
前記抽出部の基端は、前記容器本体の側面の下端近傍に固定され、
前記抽出部は、前記中心から離れる方向に前記基端から延び、上方に上がって前記先端に接続する胴部を有することを特徴とする、請求項２に記載のコーヒードリップ用ポット。
【請求項４】
前記角度範囲は、前記握持部から前記中心を視た際に前記中心に対して左側に位置することを特徴とする、請求項１から３に記載のコーヒードリップ用ポット。
【考案の詳細な説明】
【技術分野】
【０００１】
本考案は、コーヒー豆の粉末に湯を注ぐためのコーヒードリップ用ポットに関する。
【背景技術】
【０００２】
コーヒーを淹れる方法の１つにドリップ方式がある。この方式では、ドリッパにペーパフィルタをセットし、その中に適量のコーヒー豆の粉末（コーヒー粉と呼ぶ）を入れ、その上から適温の湯を注ぐ。より詳細には最初に少量の湯を注いでコーヒー粉を蒸らしてコーヒー粉に含まれるガスを放出し、その後に適量の湯を注いでコーヒーを抽出する。
【０００３】
コーヒーを抽出する際の湯の注ぎ方は、コーヒー粉の中心から円を描くように少しずつ連続的に注ぐ方法もあるが、コーヒーを美味にするために、数滴ずつの湯を間歇的に注ぐ「間歇ドリップ」と呼ばれる（「点滴ドリップ」と呼ばれることもある）方法が用いられることも多い。間歇ドリップに当たっては、湯の入ったコーヒードリップ用ポットの抽出管の先端から湯が出る状態と湯が出ない状態とを繰り返させるため、コーヒードリップ用ポットを、抽出管に向けて湯が流れる角度と流れない角度とで往復するようにゆする。
【０００４】
コーヒードリップ用ポットをゆする動作には、困難な点がある。把持部と抽出管とがポット上方から見て９０度の角度で配された通常のコーヒードリップ用ポットでは、抽出管に湯を流す角度にコーヒードリップ用ポットを傾斜させるために、把持部を握る手が複雑な動作をすることとなる。
【０００５】
特許文献１には抽出管の中部に蛇腹部を設け、抽出管の先端の方向を調整できるコーヒードリップ用ポットが開示されている。このコーヒードリップ用ポットによれば手の動きは多少単純化される。しかし、先端部のみの角度が調整され抽出管の根元（ポット本体に接続している側）の角度はポット上方から見て９０度の角度で配されているため、手の動きの複雑さは残存する。また、蛇腹部によって湯の流れが擾乱され、コーヒーを淹れるたまに好ましい注湯にならない。
【先行技術文献】
【特許文献】
【０００６】
【特許文献１】特開２０１０−１３１０７４号公報
【考案の概要】
【考案が解決しようとする課題】
【０００７】
本考案は、容易に湯を注ぐことができるコーヒードリップ用ポットを提供することを課題とする。
【課題を解決するための手段】
【０００８】
本考案は、コーヒー豆の粉末に湯を注ぐためのコーヒードリップ用ポットであって、湯を入れる容器本体と、容器本体の中心に対して一側に位置する容器本体の側面に設けられた握持部と、容器本体の中心に対して他側に位置する容器本体の側面であり、中心と握持部とを結ぶ直線に対して中心を基準に１０〜３０度の角度範囲内に基端が固定された管状の抽出部と、を備えるコーヒードリップ用ポットである。
【０００９】
これによれば、抽出部が、容器本体の中心に対して他側に位置する容器本体の側面であり、中心と握持部とを結ぶ直線に対して中心を基準に１０〜３０度の角度範囲内に基端が固定されている。ここで、一般的に、人の手首の回転の中心軸は、棒状の物品（すなわちコーヒドリップ用ポットの把持部）を把持する際の物品の当接する掌の部分から物品への方向（すなわち容器本体の中心と握持部とを結ぶ直線）に対して６０〜８０度の角度（図２においてφで示す）で交差する。すなわち、ユーザが握持部を握る手の手首を回転することによりコーヒードリップ用ポットが傾斜する傾斜面上に抽出部が位置する。それにより、ユーザは、握持部を握る手の手首を回転することのみで、コーヒードリップ用ポットを傾けて間歇ドリップを容易にすることができる。なお、φの値は多くの者にとって７０〜７５度であるので、中心を基準に１５〜２０度の角度範囲内に基端が固定されることが好ましい。
【００１０】
本考案のコーヒードリップ用ポットは、抽出部は、角度範囲内に位置する先端を有することを特徴とする。
【００１１】
これによれば、先端から湯が注がれる。なお、先端を有することは、従来のコーヒードリップも同様である。
【００１２】
本考案のコーヒードリップ用ポットは、抽出部の基端は、容器本体の側面の下端近傍に固定され、抽出部は、中心から離れる方向に基端から延び、上方に上がって先端に接続する胴部を有することを特徴とする。
【００１３】
これによれば、抽出部の基端は容器本体の側面の下端近傍に固定され、抽出部は、さらに、中心から離れる方向に基端から延び、上方に上がって先端に接続する胴部を有することで、ユーザが握持部を握る手の手首を回転してコーヒードリップ用ポットを傾けることにより、小さい回転で容器本体内の湯を抽出部の先端から抽出することができる。
【００１４】
本考案のコーヒードリップ用ポットは、角度範囲は、握持部から中心を視た際に中心に対して左側に位置することを特徴とする。
【００１５】
これによれば、角度範囲は、握持部から中心を視た際に、中心に対して左側に位置することで、右利きのユーザが、握持部を握る手の手首を回転してコーヒードリップ用ポットを傾けることにより、小さい回転で容器本体内の湯を抽出部から抽出することができる。
【考案の効果】
【００１６】
本考案のコーヒードリップ用ポットによれば、容易に、コーヒー豆の粉末に湯を注ぐことが可能となる。特に間歇ドリップにおいて有用である。
【図面の簡単な説明】
【００１７】
【図１】図１は、本実施形態に係るコーヒードリップ用ポットの構成を示す斜視図である。
【図２】図２は、図１のコーヒードリップ用ポットの抽出管の固定位置を示すとともに握持部を握るユーザの手首の回転により抽出管の先端が傾動する原理を説明するための図である。
【考案を実施するための形態】
【００１８】
以下、本考案の一実施形態について説明する。
【００１９】
図１及び図２に、本実施形態に係るコーヒードリップ用ポット（単にポットと呼ぶ）１の構成を示す。図１及び図２は、それぞれ、ポット１の構成を示す斜視図及び上面図である。ポット１は、コーヒー粉に湯を注ぐための容器であり、本体２、握持部３、及び抽出管４から構成される。図１及び図２において、本体２の中心Ｏ（図２参照）に対して抽出管４が設けられた一側を前側、握持部３が設けられた他側を後側、図面手前を左側、及び図面奥方を右側とする。また、中心Ｏと握持部３とを結ぶ直線を中心線Ｌ０とする。
【００２０】
本体２は、湯を入れる容器である。本体２は、ステンレス等の金属を用いて、一例として有底円筒形状に形成されている。なお、この本体２の形状は一例であり、例えば円錐台など任意の形状でよい。
【００２１】
握持部３は、ユーザがこれを手で握ることでポット１を支持するための部材である。握持部３は、本体２と同じ素材を用いて側面視において略「フ」の字状に形成され、上端を本体２の上縁の直下に、下端を本体２の底から本体２の高さの４分の１程度上の位置に、本体２の中心Ｏ（図２参照）に対して後側に位置する本体２の側面に固定される。
【００２２】
抽出管４は、本体２から湯を抽出するための管状の部材である。抽出管４は、本体２と同じ素材を用いて、例えば５ｍｍ程度の太さに形成されている。抽出管４は、基端４ｃ、胴部４ｂ、及び先端４ａを有する。
【００２３】
基端４ｃは、本体２の中心Ｏに対して前側であり、中心線Ｌ０に対し中心Ｏを基準とする角度θが１０〜３０度の角度範囲内で、本体２の側面の下端近傍に固定されている。ここで、中心Ｏにて中心線Ｌ０に角度θで交差する直線を基準線Ｌとする。
【００２４】
胴部４ｂは、基端４ｃから中心Ｏから離れる方向、すなわち基準線Ｌに沿って延び、上方に上がって先端４ａに接続する。それにより、後述するようにユーザが握持部３を握る手の手首を回転してポット１を傾けることにより、本体２内の湯を容易に抽出管４の先端４ａから抽出することができる。
【００２５】
先端４ａは、基準線Ｌ上に位置する、すなわち中心線Ｌ０に対し中心Ｏを基準とする角度θが１０〜３０度の角度範囲内に位置する。また、先端４ａは、一例として本体２の高さの４分の３程度の高さに位置する。それにより、後述するように、ユーザが握持部３を握る手の手首を回転することのみで、ポット１を傾けて先端４ａを大きく上げ下げすることができる。
【００２６】
抽出管４を本体２の側面の左側に設けることで、右利きのユーザ向けのポット１が構成される。なお、抽出管４を本体２の側面の右側に設けることで、左利きのユーザ向けのポット１として構成してもよい。
【００２７】
図２を用いて、握持部３を握るユーザＵの手首の回転により抽出管４の先端４ａが傾動する原理を説明する。一般的に、握持部３を握る人（ユーザＵ）の手首の回転の中心軸ＬＵは、中心線Ｌ０に対して６０〜８０度の角度（φ）で交差する。角度φは、手首の曲げ方で調整し得るが、十分に多くの湯が入り重量のあるポット１を確実に保持するためには、手首を自然な角度としたい。本実施形態のポット１では、抽出管４の基端４ｃが本体２に固定される中心Ｏに対する角度及び抽出管４が基端４ｃから延びる角度方向を基準線Ｌ上に定め、これを中心線ＬＵに直交する角度に定めた。これにより、ユーザＵが握持部３を握る手の手首を回転することによりポット１が傾斜する傾斜面上に基準線Ｌが位置するとともにこの面に中心軸ＬＵが直交する。従って、傾斜面上で中心Ｏから左下に延びる抽出管４は、ユーザＵが握持部３を握る手の手首を回転するのみでポット１を湯が最大に注がれる角度に傾けることができる。
【００２８】
以上詳細に説明したように、本実施形態のポット１は、湯を入れる本体２、本体２の中心Ｏに対して一側に位置する本体の側面に設けられた握持部３、及び本体２の中心Ｏに対して他側に位置する本体２の側面であり、中心Ｏと握持部３とを結ぶ直線（すなわち中心線Ｌ０）に対して中心Ｏを基準に１０〜３０度の角度範囲内に基端４ｃが固定された管状の抽出管４を備える。ユーザＵが握持部３を握る手の手首を回転することによりポット１が傾斜する傾斜面上に抽出管４が位置する。それにより、ユーザＵが握持部３を握る手の手首を回転してポット１を傾けることにより、手首の回転のみで容易にポット１を傾けて湯を注ぐことができる。特に間歇ドリップを行う場合にユーザの動作が容易になる。
【産業上の利用可能性】
【００２９】
本考案のコーヒードリップ用ポットは、コーヒー豆の粉末に湯を注ぐのに好適である。多くのコーヒー愛好者による利用が期待される。
【符号の説明】
【００３０】
１    ポット
２    本体
３    握持部
４    抽出管
４ａ  先端
４ｂ  胴部
４ｃ  基端
Ｌ    基準線
Ｌ０  中心線
ＬＵ  中心線
【図１】
0003202896.tif 000003
【図２】
0003202896.tif 000004